(57)【要約】【課題】選択された放送のチャンネルの視聴が認められていない場合、視聴不可の放送に関する情報を提示することができ、放送の利用促進を図ることが可能な放送視聴制限装置及び放送視聴制限方法を提供すること。【解決手段】レンタル放送視聴制限装置２０は、選択されたチャンネル番号のレンタル放送が視聴制限判定部１０４によって視聴可であると判定された場合、選択されたチャンネル番号をテレビジョン受信機３０に送信する。一方、視聴不可と判定された場合、テレビジョン受信機３０に出力画面切替コードを通知する。ウェブサーバ４０から視聴不可のチャンネル番号に対応する視聴誘導画面を取得し、画面表示部１０９を介してテレビジョン受信機３０の画面に視聴誘導画面を表示させる。【選択図】図１
2007184783.tif 000002
【特許請求の範囲】
【請求項１】
テレビジョン受信機による放送の視聴を制限する放送視聴制限装置であって、
前記テレビジョン受信機にて受信するチャンネルの指定を受け付けるチャンネル入力部と、
前記指定されたチャンネルに対応した放送の視聴の許可又は不許可を判定する視聴制限判定部と、
前記視聴制限判定部により前記放送の視聴が許可であると判定されたときに、前記指定されたチャンネルに対応した放送の受信を前記テレビジョン受信機へ指示するチャンネル指定出力部と、
外部の情報提供装置に通信回線を介して接続され、前記放送の視聴が不許可であると判定されたときに、前記情報提供装置へ前記指定されたチャンネルに関連した表示情報を要求する取得要求を送信し、前記情報提供装置から当該取得要求の応答として表示情報を受信する通信部と、
前記通信部において受信した表示情報を、前記テレビジョン受信機へ出力する表示情報出力部と
を備える放送視聴制限装置。
【請求項２】
請求項１に記載の放送視聴制限装置であって、
前記視聴制限判定部は、チャンネルと視聴の許可又は不許可とが対応付けられて登録された視聴制限テーブルを有し、当該視聴制限テーブルを参照して、前記チャンネル入力部に入力されたチャンネルに対応した放送の視聴の許可又は不許可を判定する放送視聴制限装置。
【請求項３】
請求項１又は２に記載の放送視聴制限装置であって、
前記チャネル入力部に入力されたコードを判定するコード判定部と、
前記入力されたコードがチャンネル入力を指定するコードである場合に、前記チャンネル入力を指定するコードに続いて入力されたチャンネルを識別するコードを記憶する記憶部を更に備え、
前記視聴制限判定部は、前記記憶部に記憶されたチャンネルを識別コードに基づいて視聴の可否を判定する放送視聴制限装置。
【請求項４】
テレビジョン受信機による放送の視聴を制限する放送視聴制限装置であって、
前記テレビジョン受信機にて受信するチャンネルの指定を受け付けるステップと、
前記指定されたチャンネルに対応した放送の視聴を許可又は不許可を判定するステップと、
前記放送の視聴が許可であると判定されたときに、前記指定されたチャンネルに対応した放送の受信を前記テレビジョン受信機へ指示するステップと、
外部の情報提供装置に通信回線を介して接続され、前記放送の視聴が不許可であると判定されたときに、前記情報提供装置へ前記指定されたチャンネルに関連した表示情報を要求する取得要求を送信し、前記情報提供装置から当該取得要求の応答として表示情報を受信するステップと、
前記受信した表示情報を、前記テレビジョン受信機へ出力するステップと
を有する放送視聴制限方法。
【発明の詳細な説明】
【技術分野】
【０００１】
本発明は、放送視聴制限装置及び放送視聴制限方法に関する。
【背景技術】
【０００２】
近年、放送サービスには、従来のアナログ放送に加え、地上波デジタルやＢＳ／ＣＳデジタル放送が存在し、多チャンネル化が進んでいる。また、ホテル等のサービス施設では、サーバに蓄積されている番組や業者から提供される放送等を、デジタル放送の空きチャンネルを利用して客室等に設けられたテレビ受信機に配信する放送（以下、レンタル放送という）を提供するサービスが行われている。このレンタル放送のチャンネルは、顧客毎に視聴制限可能になっている。
【０００３】
図７は従来のレンタル放送視聴制限装置の概略的構成を示す図である。レンタル放送視聴制限装置はリモコン装置２１０を用いて操作が可能なセットトップボックス２２０等に設けられる。セットトップボックス２２０には、テレビチューナ３５０が装備されている。リモコン装置２１０によりチャンネル番号が選択されると、セットトップボックス２２０は、選択されたチャンネル番号が視聴可能であるか否かを判定する。そして、視聴可能なチャンネルの場合、テレビチューナ３５０を選択されたチャンネルの周波数に切り替え、その映像／音声信号をテレビモニタ２３０に出力していた。一方、視聴禁止のチャンネルの場合、このチャンネルをスキップし、次の番号のチャンネルの周波数に切り替えていた。
【０００４】
図８は、従来のテレビチューナ制御装置の概略的構成を示す図である。このテレビチューナ制御装置（セットトップボックス）５００では、アナログ放送からデジタル放送に対応させるために、デジタル放送用チューナ４５０は、セットトップボックス５００に装備されず、テレビモニタ４３０に装備されている。そして、リモコン装置４１０からの赤外線コマンドにより、テレビモニタ４３０に装備されたデジタル放送用チューナ４５０は制御される（例えば、特許文献１参照）。
【０００５】
【特許文献１】特開２００３−９０２５号公報
【発明の開示】
【発明が解決しようとする課題】
【０００６】
しかしながら、選択されたレンタル放送チャンネルの視聴が認められていない場合、次の番号のチャンネルに切り替わるので、視聴者は、視聴が認められていないレンタル放送に関する内容を判断することができないといった事情があった。
【０００７】
本発明は、上記の事情に鑑みてなされたものであって、選択された放送のチャンネルの視聴が認められていない場合、視聴不可の放送に関する情報を提示することができ、放送の利用促進を図ることが可能な放送視聴制限装置及び放送視聴制限方法を提供することを目的とする。
【課題を解決するための手段】
【０００８】
本発明は、第１に、テレビジョン受信機による放送の視聴を制限する放送視聴制限装置であって、前記テレビジョン受信機にて受信するチャンネルの指定を受け付けるチャンネル入力部と、前記指定されたチャンネルに対応した放送の視聴の許可又は不許可を判定する視聴制限判定部と、前記視聴制限判定部により前記放送の視聴が許可であると判定されたときに、前記指定されたチャンネルに対応した放送の受信を前記テレビジョン受信機へ指示するチャンネル指定出力部と、外部の情報提供装置に通信回線を介して接続され、前記放送の視聴が不許可であると判定されたときに、前記情報提供装置へ前記指定されたチャンネルに関連した表示情報を要求する取得要求を送信し、前記情報提供装置から当該取得要求の応答として表示情報を受信する通信部と、前記通信部において受信した表示情報を、前記テレビジョン受信機へ出力する表示情報出力部とを備える放送視聴制限装置が提供されるものである。
【０００９】
この構成により、選択された放送のチャンネルの視聴が認められていない場合に、視聴不可の放送に関する情報を提示することができ、放送の利用促進を図ることができる。
【００１０】
本発明は、第２に、上記第１に記載の放送視聴制限装置であって、前記視聴制限判定部は、チャンネルと視聴の許可又は不許可とが対応付けられて登録された視聴制限テーブルを有し、当該視聴制限テーブルを参照して、前記チャンネル入力部に入力されたチャンネルに対応した放送の視聴の許可又は不許可を判定する。
【００１１】
この構成により、視聴制限判定部による視聴可否の判定を容易に行うことができる。
【００１２】
本発明は、第３に、上記第１又は第２に記載の放送視聴制限装置であって、前記チャネル入力部に入力されたコードを判定するコード判定部と、前記入力されたコードがチャンネル入力を指定するコードである場合に、前記チャンネル入力を指定するコードに続いて入力されたチャンネルを識別するコードを記憶する記憶部を更に備え、前記視聴制限判定部は、前記記憶部に記憶されたチャンネルを識別コードに基づいて視聴の可否を判定する。
【００１３】
この構成により、放送の視聴制限を行う際、デジタル放送におけるチャンネル番号入力のユーザインタフェースに対応させることができる。
【００１４】
本発明は、第４に、テレビジョン受信機による放送の視聴を制限する放送視聴制限装置であって、前記テレビジョン受信機にて受信するチャンネルの指定を受け付けるステップと、前記指定されたチャンネルに対応した放送の視聴を許可又は不許可を判定するステップと、前記放送の視聴が許可であると判定されたときに、前記指定されたチャンネルに対応した放送の受信を前記テレビジョン受信機へ指示するステップと、外部の情報提供装置に通信回線を介して接続され、前記放送の視聴が不許可であると判定されたときに、前記情報提供装置へ前記指定されたチャンネルに関連した表示情報を要求する取得要求を送信し、前記情報提供装置から当該取得要求の応答として表示情報を受信するステップと、前記受信した表示情報を、前記テレビジョン受信機へ出力するステップとを有する放送視聴制限方法が提供されるものである。
【００１５】
この方法により、選択された放送のチャンネルの視聴が認められていない場合に、視聴不可の放送に関する情報を提示することができ、放送の利用促進を図ることができる。
【発明の効果】
【００１６】
本発明によれば、選択された放送のチャンネルの視聴が認められていない場合、視聴不可の放送に関する情報を提示することができ、放送の利用促進を図ることが可能な放送視聴制限装置及び放送視聴制限方法を提供することができる。
【発明を実施するための最良の形態】
【００１７】
図１は、本発明の実施形態に係るレンタル放送視聴制限装置の概略的構成を示す図である。図１に示すように、レンタル放送視聴制限装置２０は、セットトップボックス（ＳＴＢ）として、リモコンコード受信部１００と、リモコンコード判定部１０１と、チャンネル番号保存メモリ１０２と、レンタル放送視聴種別テーブル１０３と、視聴制限判定部１０４と、ＴＶコード変換部１０５と、ＴＶコード発信部１０６と、画面要求送信部１０７と、画面受信部１０８と、画面表示部１０９とを備える。
【００１８】
レンタル放送視聴制限装置２０は、リモコン装置１０からの赤外線コードを受信するとともに、テレビジョン受信機３０に対して赤外線コードを送信する。また、レンタル放送視聴制限装置２０は、テレビジョン受信機３０とケーブルで接続されており、後述するように映像／音声信号をテレビジョン受信機３０に出力可能である。さらに、レンタル放送視聴制限装置２０は、ネットワーク１５０を介してウェブサーバ４０と接続される。
【００１９】
リモコンコード受信部１００は、テレビジョン受信機にて受信するチャンネルの指定を受け付けるチャンネル入力部の一例であり、リモコン装置１０から送信される赤外線コードを受信する。リモコンコード判定部１０１は、受信したコードがチャンネル番号のコードであるか否かを判定する。チャンネル番号保存メモリ１０２は、リモコンコードがチャンネル番号入力を示すコードであった場合、その後に入力されるチャンネル番号を格納する。
【００２０】
レンタル放送視聴種別テーブル１０３には、レンタル放送のチャンネル番号とその視聴制限の有無が登録されている。図２はレンタル放送視聴種別テーブル１０３に登録されているレンタル放送のチャンネル番号とその視聴種別を示す図である。具体的に、このテーブルでは、チャンネル（ＣＨ）番号「９１１」、「９１３」がそれぞれ視聴不可能であることを示す値０に設定され、ＣＨ番号「９１２」が視聴可能であることを示す値１に設定されている。
【００２１】
視聴制限判定部１０４は、指定されたチャンネルに対応した放送の視聴を許可又は不許可を判定するものであり、レンタル放送のチャンネル番号が視聴可能であるか否かを判定する。
【００２２】
ＴＶコード変換部１０５は、リモコン装置１０から受信した赤外線コードをテレビジョン受信機３０が解釈可能な赤外線コードに変換する。ＴＶコード発信部１０６は、テレビジョン受信機３０に変換後の赤外線コードを発信する。ＴＶコード発信部１０６は、視聴制限判定部により放送の視聴が許可であると判定されたときに、指定されたチャンネルに対応した放送の受信をテレビジョン受信機へ指示するチャンネル指定出力部として機能する。
【００２３】
画面要求送信部１０７は、レンタル放送チャンネル番号に対応する視聴誘導画面の要求をウェブサーバ４０に送信する。画面受信部１０８は、ウェブサーバ４０から送信された視聴誘導画面を受信する。なお、画面要求送信部１０７及び画面要求受信部１０８は、外部の情報提供装置の一例であるウェブサーバ４０に通信回線の一例であるネットワーク１５０を介して接続され、視聴制限判定部１０４により放送の視聴が不許可であると判定されたときに、情報提供装置へ指定されたチャンネルに関連した表示情報を要求する取得要求を送信し、情報提供装置から当該取得要求の応答として表示情報を受信する通信部の一例として機能する。
【００２４】
画面表示部１０９は、画面受信部１０８で受信した表示情報の一例である視聴誘導画面をテレビジョン受信機３０へ出力し、テレビジョン受信機３０にて表示させる。
【００２５】
本実施形態において、リモコンコード判定部１０１、視聴制限判定部１０４およびＴＶコード変換部１０５は、所定のプログラムによって動作するプロセッサを主体に構成される。
【００２６】
図３はリモコン装置１０の外観を示す正面図である。リモコン装置１０の筐体前面には、赤外線（Ｉｒ）発信部１０ｃの他、チャンネル番号入力ボタン１０ａ、テンキー１０ｂ等を含む各種ボタンが設けられており、これらのボタンが押下されると、対応する赤外線コードがＩｒ発信部１０ｃから送信される。
【００２７】
上記構成を有するレンタル放送視聴制限装置２０の動作を示す。図４はリモコンコード判定部１０１の動作処理手順を示すフローチャートである。リモコンコード判定部１０１では、まず、レンタル放送視聴制限装置２０の内部状態を通常状態にセットする（ステップＳ１）。ここで、通常状態とは、チャンネル番号保存メモリ１０２に何も保存されておらず、リモコン装置１０から送信される赤外線コードを受信し、そのリモコンコードを判定可能な状態である。この状態で、リモコンコード受信部１００は、リモコン装置１０から送信される赤外線コードを受信すると、受信したリモコンコードをリモコンコード判定部１０１に通知する。
【００２８】
リモコンコード判定部１０１は、リモコンコード受信部１００から通知されるリモコンコードを受信するまで待つ（ステップＳ２）。リモコンコードを受信すると、受信したリモコンコードがチャンネル番号入力コード（ＣＨ番号入力コード）であるか否かを判別する（ステップＳ３）。リモコンコードがチャンネル番号入力コードである場合、レンタル放送視聴制限装置２０の内部状態をチャンネル番号入力状態（ＣＨ番号入力状態）に切り替える（ステップＳ４）。この後、ステップＳ２の処理に戻る。
【００２９】
一方、ステップＳ３で受信したリモコンコードがチャンネル番号入力を示すコードでない場合、チャンネル番号を示すコード（ＣＨ番号コード）であるか否かを判別する（ステップＳ５）。チャンネル番号を示すコードである場合、現在の内部状態がチャンネル番号入力状態であるか否かを判別する（ステップＳ６）。チャンネル番号入力状態である場合、受信したチャンネル番号コードで示される番号（１桁）をチャンネル番号保存メモリ１０２に格納する（ステップＳ７）。
【００３０】
そして、チャンネル番号保存メモリ１０２に空きがないか否かを判別する（ステップＳ８）。例えば、チャンネル番号保存メモリ１０２が３桁の番号を格納可能である場合、上位の桁から順に、ステップＳ７で受信したチャンネル番号コードで示される１桁の番号が格納される。そして、チャンネル番号保存メモリ１０２に２桁以下の番号が格納されている場合、空きがあると判別され、３桁分の番号が格納されている場合、空きがないと判別される。
【００３１】
ステップＳ８でチャンネル番号保存メモリ１０２に空きがないと判別された場合、チャンネル番号保存メモリ１０２に格納されたチャンネル番号を視聴制限判定部１０４に通知する（ステップＳ９）。さらに、内部状態を通常状態にセットし、チャンネル番号保存メモリ１０２を初期化する（ステップＳ１０）。この後、ステップＳ２の処理に戻る。
【００３２】
一方、ステップＳ８でチャンネル番号保存メモリ１０２に空きがある場合、ＴＶコード変換部１０５に受信したチャンネル番号コードを通知する（ステップＳ１１）。この後、ステップＳ２の処理に戻り、チャンネル番号保存メモリ１０２の次の桁に格納されるチャンネル番号がリモコンコード受信部１００から通知されるのを待つ。
【００３３】
一方、ステップＳ６で現在の内部状態がチャンネル番号入力状態でない場合、受信したチャンネル番号コードで示されるチャンネル番号を視聴制限判定部１０４に通知する（ステップＳ１２）。この後、ステップＳ２の処理に戻る。
【００３４】
一方、ステップＳ５で受信したリモコンコードがチャンネル番号コードでない場合、内部状態を通常状態にセットし、チャンネル番号保存メモリ１０２を初期化する（ステップＳ１３）。そして、ＴＶコード変換部１０５に受信したリモコンコードを送信する（ステップＳ１４）。この後、ステップＳ２の処理に戻る。
【００３５】
例えば、チャンネル番号保存メモリ１０２が３桁格納可能であって、利用者がリモコン装置１０の「チャンネル番号入力」、「９」、「１」、「２」の順でボタンを押した場合を示す。「チャンネル番号入力」のボタンが押された後、レンタル放送視聴制限装置２０の内部状態はチャンネル番号入力状態になる。次の「９」はチャンネル番号であり、内部状態がチャンネル番号入力状態であるので、チャンネル番号保存メモリ１０２の上位桁に「９」が格納される。さらに、チャンネル番号保存メモリ１０２に空きがあるので、ＴＶコード変換部１０５に「９」のチャンネル番号が通知される。次のチャンネル番号の「１」は、「９」と同様であり、チャンネル番号メモリ１０２内の「９」の桁より１つ下位桁に格納される。次のチャンネル番号の「２」は、チャンネル番号保存メモリ１０２の最下位桁に格納される。これで、チャンネル番号保存メモリ１０２に空きがなくなるので、視聴制限判定部１０４にチャンネル番号「９１２」が通知される。
【００３６】
一方、「チャンネル番号入力」ボタンを押さずに、「９」、「１」、「２」の順でボタンを押した場合、最初の「９」はチャンネル番号であり、レンタル放送視聴制限装置２０の内部状態が通常状態であるので、受信したチャンネル番号コードが示すチャンネル番号「９」が視聴制限判定部１０４に通知される。同様に、「１」、「２」に対しても、チャンネル番号「１」、「２」が視聴制限判定部１０４にそれぞれ通知される。視聴制限判定部１０４は、「９」、「１」、「２」それぞれのチャンネル番号について、視聴判定を行うことになる。
【００３７】
尚、液晶ディスプレイ付きのリモコン装置の場合、利用者は「９」、「１」、「２」の順で入力し、リモコン装置上の液晶画面で番号を確認した後、「チャンネル番号入力」ボタンを押すことで送信が行われる。この場合でも、リモコン装置からの送信順序が「チャンネル番号入力」、「９」、「１」、「２」となるので、図４に示す処理と同様の手順で処理可能である。
【００３８】
図５はリモコンコード判定部１０１からチャンネル番号が通知された際の視聴制限判定部１０４の動作処理手順を示すフローチャートである。
【００３９】
視聴制限判定部１０４では、リモコンコード判定部１０１からチャンネル番号が通知されたか否かを判別し（ステップＳ２１）、通知されていない場合、ステップＳ２１の処理を繰り返す。一方、チャンネル番号が通知されている場合、通知されたチャンネル番号を基に、レンタル放送視聴種別テーブル１０３を参照する（ステップＳ２２）。そして、通知されたチャンネル番号が視聴可能なレンタル放送のチャンネル番号であるか否かを判別する（ステップＳ２３）。
【００４０】
視聴可能なレンタル放送のチャンネル番号である場合、通知されたチャンネル番号をＴＶコード変換部１０５に通知する（ステップＳ２４）。ここで、ステップＳ９でチャンネル番号保存メモリ１０２にチャンネル番号が格納されている場合には、既にステップＳ１１で２桁分の番号は送信されているので、最後の桁の番号だけが送信されることになる。一方、ステップＳ１２で受信したチャンネル番号がそのまま通知される場合には、通知されたチャンネル番号が送信されることになる。この後、ステップＳ２１の処理に戻る。
【００４１】
一方、ステップＳ２３で視聴不可能なレンタル放送のチャンネル番号である場合、テレビジョン受信機３０の出力画面をセットトップボックス画面に切り替えるための出力画面切替コードをＴＶコード変換部１０５に通知する（ステップＳ２５）。さらに、ステップＳ２４で通知された視聴不可のチャンネル番号を画面要求送信部１０７に通知する（ステップＳ２６）。この後、ステップＳ２１の処理に戻る。
【００４２】
ＴＶコード変換部１０５は、リモコンコード判定部１０１から通知されたチャンネル番号以外のリモコンコード、視聴制限判定部１０４から通知されたチャンネル番号を示すリモコンコード、あるいは前述した出力画面切替コードを、テレビジョン受信機３０が解釈可能な赤外線コードに変換し、ＴＶコード発信部１０６に通知する。ＴＶコード発信部１０６は、ＴＶコード変換部１０５から通知された赤外線コードをテレビジョン受信機３０に送信する。テレビジョン受信機３０は、赤外線コードに変換された出力画面切替コードを受信すると、ＴＶチューナ５０の出力から、レンタル放送視聴制限装置２０の映像出力（及び音声出力）に切り替える。
【００４３】
一方、画面要求送信部１０７は、このウェブサーバ４０の位置を表すＵＲＬにアクセスし、視聴制限判定部１０４から通知されたチャンネル番号を通知する。ウェブサーバ４０は、通知された視聴不可のチャンネル番号に対応する視聴誘導画面をレンタル放送視聴制限装置２０に送信する。画面受信部１０８は、ウェブサーバ４０から送信された視聴誘導画面を受信し、画面表示部１０９からテレビジョン受信機３０に出力し、そのモニタから視聴誘導画面を表示させる。
【００４４】
図６は視聴誘導画面の一例を示す図である。この視聴誘導画面には、レンタル放送番組の詳細を提示するために、チャンネル番号とこれに対応する番組内容を表すタイトルが表示されている。ここでは、映画、スポーツ、料理、芸術などの各番組とそのチャンネル番号が表示されている。また、視聴誘導画面としては、例えば、チャンネル番号「９１１」のスポーツ番組が視聴不可であった場合、その番組の内容として、現在放送されているスポーツを紹介する画面であってもよい。
【００４５】
このように、本実施形態のレンタル放送視聴制限装置２０は、選択されたチャンネル番号のレンタル放送が視聴制限判定部１０４によって視聴可であると判定された場合、選択されたチャンネル番号をテレビジョン受信機３０に送信する。一方、選択されたチャンネル番号のレンタル放送が視聴制限判定部１０４によって視聴不可と判定された場合、テレビジョン受信機３０に出力画面切替コードを通知する。さらに、ウェブサーバ４０に視聴不可のチャンネル番号を通知し、ウェブサーバ４０から視聴誘導画面を取得する。そして、テレビジョン受信機３０に視聴誘導画面を表示する。
【００４６】
これにより、レンタル放送視聴制限装置内にデジタル放送チューナを設けなくても、レンタル放送の視聴制限を行うことができる。したがって、レンタル放送視聴制限装置（セットトップボックス）を安価なものにすることができる。また、視聴者によって選択されたチャンネル番号のレンタル放送が視聴不可であっても、そのレンタル放送の詳細を提示することができ、レンタル放送の利用促進を図ることができる。さらに、チャンネル番号保存メモリを用いることで、赤外線コードによりデジタル放送のチャンネル番号入力を行うユーザインタフェースに対応させることができる。
【００４７】
なお、上記実施形態では、リモコン装置を使ってチャンネル番号を入力していたが、セットトップボックスにチャンネル番号入力用のキーが設けられている場合、このキーの押下によりチャンネル番号を入力するようにしてもよい。
【００４８】
また、液晶等の表示器を備えるリモコン装置から１桁目の番号、２桁目の番号、３桁目の番号、チャンネル番号入力の順序で送信される場合、以下のように処理してもよい。受信した３桁分の番号を一旦、チャンネル番号保存メモリに格納しておき、チャンネル番号入力が送信された時点で、チャンネル番号保存メモリに格納された３桁のチャンネル番号の視聴可否を判定するようにしてもよい。
【００４９】
また、本実施形態の放送視聴制限装置は、デジタル放送の空きチャンネルを利用したレンタル放送に限らず、インターネット放送などの有料放送を含め、視聴制限を必要とする放送全般に適用可能である。
【産業上の利用可能性】
【００５０】
本発明の放送視聴制限装置及び放送視聴制限方法は、選択された放送のチャンネルの視聴が認められていない場合、視聴不可の放送に関する情報を提示することができ、放送の利用促進を図ることが可能な効果を有し、宿泊施設に設置されるレンタル放送システム等に有用である。
【図面の簡単な説明】
【００５１】
【図１】本発明の実施形態に係るレンタル放送視聴制限装置の概略的構成を示す図
【図２】レンタル放送視聴種別テーブルの内容の一例を示す図
【図３】リモコン装置の外観を示す正面図
【図４】リモコンコード判定部の動作処理手順を示すフローチャート
【図５】リモコンコード判定部からチャンネル番号が通知された際の視聴制限判定部の動作処理手順を示すフローチャート
【図６】視聴誘導画面の一例を示す図
【図７】従来のレンタル放送視聴制限装置の概略的構成を示す図
【図８】テレビチューナ制御装置の概略的構成を示す図
【符号の説明】
【００５２】
１０  リモコン装置
２０  レンタル放送視聴制限装置
３０  テレビジョン受信機
４０  ウェブサーバ
１０１  リモコンコード判定部
１０２  チャンネル番号保存メモリ
１０３  レンタル放送視聴種別テーブル
１０４  視聴制限判定部
１０５  ＴＶコード変換部
１０９  画面表示部
【図１】
2007184783.tif 000003
【図２】
2007184783.tif 000004
【図３】
2007184783.tif 000005
【図４】
2007184783.tif 000006
【図５】
2007184783.tif 000007
【図６】
2007184783.tif 000008
【図７】
2007184783.tif 000009
【図８】
2007184783.tif 000010